(57)【要約】【課題】  石綿を用いた金属製構造物を効率よく（例えば、作業負担の軽減）安全に（例えば、大気汚染や健康被害の発生防止）処理できる処理技術を提供することにある。【解決手段】  石綿を用いた折版屋根の処理方法であって、作業エリアを養生する養生工程（Ａ）と、石綿に飛散防止剤を塗布する薬剤塗布工程（Ｂ）と、養生を撤去する養生撤去工程（Ｃ）と、石綿を除去せずに折版屋根を撤去する折版屋根撤去工程（Ｄ）と、撤去された折版屋根を切断する折版切断工程（Ｅ−１）と、切断された折版屋根をドラム缶に詰め込むドラム缶詰め工程（Ｅ−２）と、ドラム缶を運送する運送工程（Ｆ）と、運送されたドラム缶をドラム缶ごと溶融する溶融工程（Ｇ）とを備えた処理方法。【選択図】  図１
2006043620.tif 000002
【特許請求の範囲】
【請求項１】
石綿製の断熱材等が取り付けられた金属製構造物の処理方法であって、
石綿に飛散防止剤を塗布する塗布工程と、
石綿を除去せずに金属製構造物を撤去する撤去工程と、
撤去された金属製構造物を収容容器に詰め込む詰込工程と、
金属製構造物の詰め込まれた収容容器ごと溶融する溶融工程とを備えた処理方法。
【請求項２】
金属製構造物が、金属製折版屋根である請求項１記載の処理方法。
【発明の詳細な説明】
【技術分野】
【０００１】
本発明は、吸音・断熱・耐火被覆等の目的で石綿（アスベスト）を用いた金属製構造物の処理技術に関するものである。
【背景技術】
【０００２】
石綿は、建築材料や工業製品等３０００種類におよぶ製品に使用されているといわれている。そして、既存する建築物やプラント等の解体時にこの石綿が飛散して、大気汚染・健康被害を発生させることがある。このため、従来より石綿製の断熱材等が取り付けられた金属製構造物の処理は、一定の工程（手順）に則って行われている。
【０００３】
ここで図２は、金属製折版構造屋根（折版屋根）を一例に、石綿を裏貼りした折版屋根の処理手順を示したフローチャートである。
まず手順（ａ）で、折版屋根を撤去するための作業エリアをビニールで養生する。
次に手順（ｂ−１）で、折版屋根に裏貼りした石綿に薬剤（飛散防止剤：例えばニチアス社製「プロテクターシーラント」）を塗布する。塗布には、例えばエアレススプレー装置などを用いる。薬剤を塗布することにより石綿が固化され、石綿繊維の飛散を防止できる。
次に手順（ｂ−２）で、石綿を除去する。手順（ｂ−１）で既に石綿が固化されており、手順（ａ）で作業エリアを養生しているので、石綿除去に伴う大気汚染・健康被害の心配はない。
次に手順（ｃ）で、手順（ａ）の養生を撤去する。
次に手順（ｄ）で、石綿を除去した折版屋根を撤去する。既に石綿は除去されているので、手順（ｃ）で作業エリアの養生を解いても、石綿による被害は発生しない。
【０００４】
次に手順（ｅ）で、撤去された折版屋根を運送可能となるよう所定の寸法に切断する。
次に手順（ｆ）で、切断された折版屋根を運送する。
次に手順（ｇ）で、運送された折版屋根を溶融する。この溶融によって生成される溶融物は、再利用される。
その他に手順（ｍ）で、撤去した折版屋根部分に新設された屋根の葺き替えを行う。
【０００５】
また、これまでアスベストおよび金属を含む混合廃棄物に関する処理方法は、特許文献１に開示されている。
【特許文献１】特開２００２−１１６２９６号公報
【発明の開示】
【発明が解決しようとする課題】
【０００６】
ここで、図２に示す折版屋根の処理手順によれば、以下のような問題点がある。
（１）石綿を除去する作業（手順ｂ−２）は、非常に面倒な作業でもあり、危険な作業でもある。従って、作業員による作業負担が大きかった。
（２）切断された折版屋根はそのままトラック等によって運送されるが（手順ｆ）、万一石綿が折版屋根から完全に除去されていないと、運送の過程で大気汚染や健康被害の生じるおそれがある。
【０００７】
また、特許文献１には、アスベスト（石綿）および金属を含んだ混合廃棄物、それも両物質の少なくとも一方が放射性物質に汚染されている混合廃棄物を分別することなく溶融するものである。しかし、溶融前の処理については言及されておらず、どのような処理がなされるか不明である。
【０００８】
そこで、本発明の目的は、石綿を用いた金属製構造物を効率よく（例えば、作業負担の軽減）安全に（例えば、大気汚染や健康被害の発生防止）処理できる処理技術を提供するものである。
【課題を解決するための手段】
【０００９】
上記目的を達成するために、第一の発明は、石綿製の断熱材等が取り付けられた金属製構造物の処理方法であって、石綿に飛散防止剤を塗布する塗布工程と、石綿を除去せずに金属製構造物を撤去する撤去工程と、撤去された金属製構造物を収容容器に詰め込む詰込工程と、金属製構造物の詰め込まれた収容容器ごと溶融する溶融工程とを備えたことを特徴とするものである。
第二の発明は、金属製構造物が、金属製折版屋根であることを特徴とする。なお、本発明では、金属製構造物は、金属製折版屋根に限らず、石綿を用いた建築材料や工業製品類（例えば、バルブ，配管フランジ部分，配管保温材）など広く含むものである。
【発明の効果】
【００１０】
本発明によれば、次のような効果を有する。
（１）金属製構造物を撤去する撤去工程において、石綿を除去せずにそのまま金属製構造物を撤去するので、石綿除去作業が不要となり、作業負担の軽減・安全性の向上・作業コストの低減を実現できる。
（２）撤去された金属製構造物を溶融のために運送する運送工程において、石綿の除去されていない金属製構造物は収容容器に詰め込まれ、完全密閉されるので、運送の過程での大気汚染や健康被害を確実に防止できる。
【発明を実施するための最良の形態】
【００１１】
本発明の実施形態を図面に基づいて説明する。
図１は、図２と同様に金属製折版構造屋根（折版屋根）を一例に、石綿を裏貼りした折版屋根の本発明に係る処理手順を示したフローチャートである。
【００１２】
手順（Ａ）及び（Ｂ）は、図２に示す手順と同様である。すなわち、手順（Ａ）では、折版屋根を撤去するための作業エリアをビニールで養生する。また、手順（Ｂ）では、折版屋根に裏貼りした石綿に薬剤（飛散防止剤：例えばニチアス社製「プロテクターシーラント」）を塗布する。塗布には、例えばエアレススプレー装置などを用いる。薬剤を塗布することにより石綿が固化され、石綿繊維の飛散を防止できる。
【００１３】
次に、折版屋根に裏貼りした石綿を除去することなく、手順（Ｃ）で、手順（Ａ）の養生を撤去する。
次に手順（Ｄ）で、石綿の除去されていない折版屋根を撤去する。石綿は手順（Ｂ）の薬剤塗布によって固化されているので、手順（Ｃ）で作業エリアの養生を解いても、石綿による飛散被害は発生しない。
【００１４】
次に手順（Ｅ−１）で、撤去された折版屋根を隔離養生された空間で運送用に切断する。運送に際して折版屋根の収容容器としてドラム缶を用いる場合、ドラム缶に収容できる寸法（例えば、８５ｃｍの長さ）に切断する。切断するときも石綿の粉塵が飛散しないように、プラズマで切断すると良い。また、必要に応じて石綿に薬剤塗布を行うと良い。
【００１５】
次に手順（Ｅ−２）で、切断された折版屋根を収容容器に詰め込む。収容容器としては、折版屋根とともに溶融できるもの、例えば金属製の容器が好ましく、大容量のものの収容可能なドラム缶などが好ましい。折版屋根の収容されたドラム缶は、運送中に石綿が飛散しないように完全密閉する。
【００１６】
次に手順（Ｆ）で、折版屋根の収容されたドラム缶を運送する。ドラム缶は完全密閉されているので、運送の過程での大気汚染や健康被害を確実に防止できる。
【００１７】
次に手順（Ｇ）で、運送されたドラム缶ごと溶融炉（約１５００℃）に投入して、溶融する。この溶融によって生成される溶融物は、再利用される。例えば、鉄は鉄筋などの建設資材に、溶融スラグは路盤材として活用できる。
【００１８】
以上のように、図１に示す処理手順によれば、折版屋根を撤去する撤去工程（手順Ｄ）において、石綿を除去せずにそのまま折版屋根を撤去するので、石綿除去作業が不要となり、作業負担の軽減・安全性の向上・作業コストの低減を実現できる。また、撤去された折版屋根を溶融のために運送する運送工程（手順Ｆ）において、石綿の除去されていない折版屋根は収容容器に詰め込まれ、完全密閉されるので、運送の過程での大気汚染や健康被害を確実に防止できる。
なお、手順（Ｍ）で、撤去した折版屋根部分に新設された屋根を葺き替えするのは、図２の場合と同様である。
【産業上の利用可能性】
【００１９】
本発明に係る処理方法は、石綿を用いた構造物（金属製であるか否かを問わず）の処理に広く利用できるものである。
【図面の簡単な説明】
【００２０】
【図１】本発明に係る処理手順を示したフローチャート。
【図２】従来における処理手順を示したフローチャート。
【図１】
2006043620.tif 000003
【図２】
2006043620.tif 000004